(57)【要約】【課題】粘土状玩具に対して制御情報に基づいた動作を与えることができる。【解決手段】操作装置２００は、それに接続した発光や発音を可能とする入出力部品３０Ａ、３０Ｂと論理的に接続しており、それらを粘土状玩具４００に組み込む。操作装置２００はスマートフォンを代表とする情報端末においてプログラムされた指示に応じて動作することで、粘土状玩具にたいして動作を与えることができる。【選択図】図２
2017064340.tif 000002
【特許請求の範囲】
【請求項１】
コンテンツを表示する表示部を備える情報端末と、前記情報端末と近距離無線方式を介して接続する操作端末と、前記操作端末と接続される入出力部品と、前記操作端末が組み込まれる形状変形型玩具の完成物とで構成される玩具操作システムであって、
前記形状変形型玩具は、利用者が自由な形に変形可能な粘土もしくは粘土状のものであり、形状変形後の創作物が前記完成物として扱われ、
前記操作端末は、１つ以上の入出力部品を備え、前記入出力部品は前記操作端末と物理的に離された位置においても動作し、
前記入出力部品は、センサーやスイッチに代表される入力機能と、ライトやサウンドに代表される出力機能の少なくともいずれか一方を備え、
前記操作端末と前記入出力部品の少なくとも一方は、前記完成物に対して組み込まれた上で使用され、
前記情報端末から前記完成物に組み込まれた前記操作端末を操作することにより、前記入出力部品が完成物と一体となって動作する機能を備えることを特徴とする玩具操作システム。
【発明の詳細な説明】
【技術分野】
【０００１】  本発明は、ネットワーク等を介して情報端末から玩具を操作する技術に関する。
【背景技術】
【０００２】  幼児や子供が玩具として使用する粘土や、熱で溶かしたプラスチックを固めて遊ぶ粘土状玩具等は、一度創作が完了すると、動きがなかった。そのため、前記幼児や子供は、作る時は楽しんで創作するが、完成後はそのまま飾られたり、放置されるという課題があった。
【発明が解決しようとする課題】
【０００３】  Ｂｌｕｅｔｏｏｔｈをはじめとした近距離無線方式の普及と、ハードウェア装置の低消費電力化および小型化に伴い、たとえばウエアラブル型の装置や、ペンダント型の装置で、スマートフォンをはじめとする無線機能を有する情報端末と論理的な接続が可能なものが市場に流通しつつある。前記小型ハードウェア装置は、ジャイロセンサ、加速度センサ、コンパスなどを代表とする位置測位のためのセンサ類に加え、温度センサ、湿度センサ、ＵＶセンサ等を搭載し、センサ類から取得されたデータを情報端末に送信することでデータを可視化し、使用者の習慣や行動の改善提案を行うための機能を一般的に有している。
【０００４】  そこで、本発明は、幼児や子供向け玩具の中でも、特に形状を使用者自身で自由に変形できる粘土もしくはそれに類する機能を有する玩具を対象とし、前記玩具を使用者が利用し、創作物が完成した時点で、近距離無線機能を有する操作装置を物理的に前記玩具の中に使用者自身で組み込み、情報端末を操作することにより、前記玩具を操作できるようにする手法およびシステムを提案する。
【課題を解決するための手段】
【０００５】  上記の課題を解決すべく、請求項１に係る発明は、コンテンツを表示する表示部を備える情報端末と、前記情報端末と近距離無線方式を介して接続する操作端末と、前記操作端末と接続される入出力部品と、前記操作端末が組み込まれる形状変形型玩具の完成物とで構成される玩具操作システムであって、前記形状変形型玩具は、利用者が自由な形に変形可能な粘土もしくは粘土状のものであり、形状変形後の創作物が前記完成物として扱われ、
前記操作端末は、１つ以上の入出力部品を備え、前記入出力部品は前記操作端末と物理的に離された位置においても動作し、前記入出力部品は、センサーやスイッチに代表される入力機能と、ライトやサウンドに代表される出力機能の少なくともいずれか一方を備え、
前記操作端末と前記入出力部品の少なくとも一方は、前記完成物に対して組み込まれた上で使用され、前記情報端末から前記完成物に組み込まれた前記操作端末を操作することにより、前記入出力部品が完成物と一体となって動作する機能を備えることを特徴とする。
【発明の効果】
【０００６】  本発明によれば、粘土状玩具に対しても、光る、嗚るなどの動きを付与することが可能となり、さらにその制御を情報端末を介して実施することができる。
【図面の簡単な説明】
【０００７】
【図１】  システム構成を示す図
【図２】  操作装置の構成を示す図
【図３】  情報端末画面表示例を示す図
【発明を実施するための形態】
【０００８】［実施形態］
図１は、本発明の一実施形態である玩具操作システムの構成の概略を示す図てある。玩具操作システムは、情報端末１００と、１つ以上の入出力部品（図１においては３０Ａ、３０Ｂ）と接続された装置装置２００が、Ｗｉ−ＦｉやＢｌｕｅｔｏｏｔｈを代表とする近距離無線方式ネットワーク網ＮＷ２を介して論理的に接続される。情報端末１００は一方で、インターネット網ＮＷ１にも接続される。
【０００９】  本発明の特徴的な動作について説明する。図１において、情報端末１００は使用者が利用し、インターネット接続が可能なデスクトップ型、ノート型、タブレット型、携帯電話型、またはスマートフォン型のパーソナルコンピュータである。
【００１０】  情報端末１００は、使用者に対してコンテンツを表示する表示インターフェース１１０と、使用者の操作を受け付ける入力インターフェースと、インターネット網ＮＷ１および近距離無線網ＮＷ２と接続し、操作装置２００を制御する。
【００１１】  入出力部品３０Ａ、３０Ｂは、操作装置と接続され、操作装置を介して情報端末から送られた制御情報に応じて動作する。
【００１２】  入出力部品は、センサーやスイッチを代表とする入力装置か、光や音などを発する出力装置か、もしくはその両方の機能をもった装置であり、操作装置２００と接続される。
【００１３】  図１においては、操作装置２００の１台のみが示され、他の情報端末の図示が省略されているが、実際には複数の操作装置が近距離無線網ＮＷ２へ接続されており、それぞれが情報端末１００へアクセスすることが可能である。
【００１４】  図２は、粘土もしくは粘土状玩具のうち、創作行為が完了した後の完成物に対し、操作装置２００を埋め込んでいる状態を示す図である。操作端末２００と接続される入出力部品３０Ａは、本事例においてはＬＥＤを代表とする発光デバイスとなっており、粘土状玩具に埋め込まれており、操作端末２００により発光が制御される。また本事例においては、同じく粘土状玩具に埋め込まれた入出力部品３０Ｂは、スピーカを代表とする音声発生装置であり、同じく操作装置２００により音声の出力が制御される。
【００１５】図２において、入出力部品３０Ａは、恐竜型に創作された粘土状玩具４００の目に相当する位置に埋め込まれており、操作装置２００の制御により入出力部品３０Ａが発光すれば、あたかも恐竜の目が光るような効果を与えることができる。
【００１６】同様に、図２においてスピーカーである入出力部品３０Ｂは、操作端末２００の制御により音声を発することが可能であり、たとえば恐竜の鳴き声に相当する音声を発することもできる。
【００１７】  入出力部品３０Ａと入出力部品３０Ｂを同時に動作するように制御すれば、図２の粘土状玩具４００において、あたかも目が光りながら恐竜の鳴き声が聞こえる効果を与えることができ、これまでの粘土状玩具の創作物だけでは得られなかった効果を得ることができる。
【００１８】図２の事例においては、入出力部品となりうる部品の例としてＬＥＤやスピーカーを挙げたが、他の例としては、入出力部品は振動、回転などの出力を行う部品であってもよい。また、センサーに代表される入力方式であって、ジャイロ、コンパス、温度センサ、湿度センサ、ほこりセンサ、人感センサ、照度センサ等の機能を有する部品であってもよく、その場合は操作装置２００はセンサーからの入力処理を実施する。
【００１９】  図３は情報端末１００のうち、ディスプレイ等の表示インターフェース１１０の表示内容を示すものである。  なお、図１に示すとおり、情報端末１００と操作装置２００は論理的に接続されており、情報端末１００の指示を受けて操作装置２００がその指示内容を処理し、結果的に入出力部品３０Ａおよび入出力部品３０Ｂを制御する。
【００２０】図３において、（ａ）は入出力部品の制御方法をプログラムした結果を示す。各オブジェクトが各機能を有している点が特徴であり、これを制御オブシェクト１２０という。本プログラムを実行することにより、制御オブジェクトに応じて入出力部品３０Ａが
（左）→（右）→（左）→（右）
と順に点滅し、それが完了すると「ガオー」という音声が入出力部品３０Ｂを介して出力されるようなプログラム例である。
【００２１】  図３に示す制御プログラムは、使用者が自由な順番により制御オブジェクト２００を定義することが可能であり、玩具の使用者自身で定義を行えば、玩具を自作するだけでなく、その完成物に対してどのような動きを持たせるのかを使用者自身で考えて、プロクラムが可能となる。
【００２２】  さらに図３においては、インターネット網ＮＷ１を介して、恐竜の鳴き声以外に、他の制御コンテンツ１３０をダウンロードすることもできる。また、同様にインターネット網ＮＷ１を介して、音声以外にも、たとえば発光のパターンや振動のパターンといった、入出力部品の動作に関する制御情報をダウンロードすることが可能である。
【００２３】  ダウンロードされた入出力部品の制御情報は、近距離無線網ＮＷ２を介して操作装置２００に送信され、制御情報に基づいた動作を入出力部品に対して与える。
【００２４】  その結果、制御信号に基づいた発光や発音の動作を行う結果、前期玩具４００に対して、固定化された動作ではなく、自由に設計された動作を与えることが可能となる点が特徴である。
【符号の説明】
【００２５】１００…情報端末、１１０…表示インターフェース、１２０…制御オブジェクト、１３０…制御コンテンツ、２００…操作装置、ＮＷ１…インターネット網、ＮＷ２…近距離無線網、３０Ａ…入出力部品、３０Ｂ…入出力部品、４００…粘土状玩具。
【図１】
2017064340.tif 000003
【図２】
2017064340.tif 000004
【図３】
2017064340.tif 000005